(57)【要約】【課題】平行電極板に高電圧を印加して集塵する電気集塵機において、平行電極板の洗浄を確実に実施でき、定期的または効率的に自動で洗浄できる電気集塵機の提供を目的とする。【解決手段】密閉手段としての電動ダンパー７、８を持ち、第１洗浄液９のミスト状に噴霧することと第２洗浄液１４を供給経路であるノズル配管１０、１１、１２、１３を複数備え、隣り合ったノズル１７が同時に噴霧することなく洗浄することで、平行電極板２の全面に噴霧を実施することで洗浄を確実に実施する。【選択図】図１
2008221175.tif 000002
【特許請求の範囲】
【請求項１】
平行電極板に荷電して空気中の粉塵を帯電させて集塵する電気集塵機の洗浄手段として電気集塵部を密閉する密閉手段と第１洗浄液をミスト状に噴霧し集塵した汚れを洗浄する第１噴霧手段を備え、第２洗浄液を電気集塵機の前記平行電極板に平行に噴霧し、前記平行電極板の全てに第２洗浄液を噴霧できる第２噴霧手段を備え、第２噴霧手段において前記第２洗浄液を供給するノズル配管を複数備え、前記各ノズル配管には複数のノズルを備え、隣り合った前記ノズル同士が同時に噴霧することのないように制御できる切替手段を備えた電気集塵機。
【請求項２】
第２洗浄液の供給経路であるノズル配管は第２洗浄液の供給手段と乾燥及び液抜きのための空気の供給手段を備え、同時に洗浄液と空気が供給されることのないように制御できる切替手段を備えた請求項１に記載の電気集塵機。
【請求項３】
電気集塵機の絶縁碍子に噴霧し洗浄できる洗浄手段を備えた請求項１または２に記載の電気集塵機。
【請求項４】
第２洗浄液の供給経路であるノズル配管は第２洗浄液の供給終了後、前記ノズル配管より前記第２洗浄液を排出する排出配管と前記排出配管を開閉する切替手段を備えた請求項１〜３のいずれかに記載の電気集塵機。
【請求項５】
底板をドレン板とし、前記ドレン板に第２洗浄液を再利用する戻し配管と廃棄する排出用配管の２通りの排出手段を備え、前記排出手段を切替える切替手段を備えた請求項１〜４のいずれかに記載の電気集塵機。
【請求項６】
第１洗浄液を噴霧する第１工程と第２洗浄液を噴霧する第２工程と前記第２洗浄液の供給配管より前記第２洗浄液を排出する第３工程と送風による乾燥を実施する第４工程を実施することで電気集塵部の洗浄動作を実施し、前記洗浄動作を自動で実施する自動制御手段を備えた請求項１〜５のいずれかに記載の電気集塵機。
【請求項７】
電気集塵部の密閉手段は電動または空気圧および油圧を用いたダンパーとする請求項１〜６のいずれかに記載の電気集塵機。
【請求項８】
第１洗浄液のミスト状に噴霧する洗浄手段として２流体ノズルと高圧発生手段を備えた請求項１〜７のいずれかに記載の電気集塵機。
【請求項９】
第１洗浄液に少なくとも界面活性剤剤、溶剤系洗浄剤またはアルカリ性電解水を用いた請求項１〜８のいずれかに記載の電気集塵機。
【請求項１０】
第２洗浄液に水または温水を用いた請求項１〜９のいずれかに記載の電気集塵機。
【請求項１１】
第２洗浄液の供給手段に上水道もしくは供給水のタンクを備え、タンクより第２洗浄液の供給を行うポンプを備えた請求項１〜１０のいずれかに記載の電気集塵機。
【請求項１２】
ノズルへの第２洗浄液の供給経路となるノズル配管の切替手段として電動ボールバルブもしくは電磁弁を用いた請求項１〜１１のいずれかに記載の電気集塵機。
【請求項１３】
平行電極板に噴霧するノズルは円錐型の噴霧領域をもつノズルもしくは扇形で直線的な噴霧領域を持つノズルを備えた請求項１〜１２のいずれかに記載の電気集塵機。
【請求項１４】
電気集塵機の下流に汚れの濃度を検出する濃度検出手段を備え、前記温度検出手段により得られる濃度上昇時に洗浄を開始する自動制御を備えた請求項１〜１３のいずれかに記載の電気集塵機。
【請求項１５】
電気集塵機は温度検出手段を備え、前記温度検出手段により異常温度上昇を検知し、密閉手段の遮断と第２洗浄液の噴霧を自動実施する請求項１〜１６のいずれかに記載の電気集塵機。
【発明の詳細な説明】
【技術分野】
【０００１】
本発明は、例えば含塵ガス中の粉塵粒子を捕集する電気集塵機に関するものである。
【背景技術】
【０００２】
従来、この種の電気集塵機の集塵ユニットの平行電極板の洗浄方法は洗浄水を噴霧することで電極板を洗浄する方法が知られている。（例えば、特許文献１参照）。
【０００３】
以下、その従来の電気集塵機の洗浄方法について図８〜１０を参照しながら説明する。
【０００４】
図８は従来の電気集塵機の平行電極板洗浄システムの側面図である。図９は電気集塵機の平行電極板洗浄システムの正面図である。
【０００５】
図８に示すように、電気集塵機１００は電極板１０１を平行に重ねて並べた構造になっており電極板１０１の一枚一枚の全面をきれいに洗浄するのは空気の吹付けや洗浄液１０４や水の吹付けによる洗浄が一般的である。電極板１０１上部にノズル配管１０２を備えノズル１０３により洗浄液１０４や水を噴霧する。ノズル１０３は広範囲に噴霧できるように円錐形の噴霧領域を持つものが用いられるが、噴霧圧が小さくなり洗浄の効果が下がる。また、噴霧圧をあげるためには多量のノズル１０３を設置する必要があり、そのため使用する洗浄液１０４の量も多くなりコストがかかる。
【０００６】
また、粘着性成分を含んだ塵等を集塵する場合には、噴霧だけでは洗い落とすことができず、ワイパー手段のようなものが考えられている（特許文献２参照）。
【０００７】
図１０は従来の電気集塵機の平行電極板のワイパーによる洗浄システムの構成図である。埃や塵が家庭内のダストやたばこの煙のような軽く乾燥した物質である場合、空気や水の吹付けで容易に除去にすることができる。しかしながら、湿気を含んだ埃やオイルミストといった粘性をもった塵等を集塵した場合、電極板１０１に付着した汚れは空気や水の吹付けだけで洗浄することができず、図１０に示すように洗浄液１０４噴霧後、電極板１０１をワイパー１０５等で拭取る作業を必要としていた。
【特許文献１】特開２００４−１４８２９６号公報（図１，図２）
【特許文献２】特開平１１−３４７４５１号公報（図１，図４）
【発明の開示】
【発明が解決しようとする課題】
【０００８】
このような従来の電気集塵機の洗浄方法では、通常のノズルより噴霧した水は円錐形に電極板に向かって噴霧されるが、噴霧領域にデッドスペースが発生するためノズルの噴霧領域を重ねてノズルを配置する。このため隣り合ったノズルを同時に噴霧すると干渉を起こし、うまく洗浄できないといった課題があった。洗浄作業による付着物の残留があると定期的なメンテナンスが必要であり、また自動運転での洗浄でワイパー手段による払拭といった方法にするとコストアップするという課題があり、安価で確実な洗浄が自動で行える洗浄方法の確立が要求されている。
【０００９】
本発明は、このような従来の課題を解決するものであり、電気集塵機の洗浄動作を確実に行い、自動制御することができ、メンテナンスをフリーにすることを目的とした電気集塵機を提供することを目的としている。
【課題を解決するための手段】
【００１０】
本発明の電気集塵機は上記目的を達成するために、平行電極板に荷電して空気中の粉塵を帯電させて集塵する電気集塵機の洗浄手段として電気集塵部を密閉する密閉手段と第１洗浄液をミスト状に噴霧し集塵した汚れを洗浄する第１噴霧手段を備え、第２洗浄液を電気集塵機の前記平行電極板に平行に噴霧し、前記平行電極板の全てに第２洗浄液を噴霧できる第２噴霧手段を備え、第２噴霧手段において前記第２洗浄液を供給するノズル配管を複数備え、前記各ノズル配管には複数のノズルを備え、隣り合った前記ノズル同士が同時に噴霧することのないように制御できる切替手段を備えた電気集塵機。
【００１１】
これにより、第１洗浄液噴霧にて集塵した粘性をもったオイルミストや塵、埃を分解し、第２洗浄液で集塵電極板全体を確実に洗い流すことができる。となりあったノズルが同時に噴霧することがないため噴霧による干渉がなくなり、それぞれに設置したノズルにより洗浄水を噴霧することで電極板全体を洗浄することができる。
【００１２】
また、他の手段は、第２洗浄液の供給経路である配管は第２洗浄液の供給手段と乾燥及び液抜きのための空気の供給手段を備え、同時に洗浄液と空気が供給されることのないように制御できる切替手段を備えるものである。
【００１３】
これにより、第２洗浄液による洗浄後、前記第２洗浄液の供給経路であるノズル配管にたまった前記第２洗浄液を空気の圧力で排出することができる。また洗浄により付着した水分に空気を吹付けることで、吹飛ばし乾燥を容易にすることができる。
【００１４】
また、他の手段は、電気集塵機の絶縁碍子に噴霧し洗浄できる洗浄手段を備えるものである。
【００１５】
これにより、洗浄後の絶縁碍子への水滴を吹飛ばし乾燥を容易にすることができ、乾燥時間を短縮することができる。
【００１６】
また、他の手段は、第２洗浄液の供給経路であるノズル配管は第２洗浄液の供給終了後、前記ノズル配管より前記第２洗浄液を排出する排出配管と前記排出配管を開閉する切替手段を備えたものである。
【００１７】
これにより、空気の吹付けの際に前記ノズル配管内に残った前記第２洗浄液を排出することができ、空気の供給によりわずかに残った前記ノズル配管内の前記第２洗浄液も排出することが可能になる。前記第２洗浄液の排出ができることで、空気の吹付けによる乾燥が可能になる。
【００１８】
また、他の手段は、電気集塵機の底板をドレン板とし、前記ドレン板に第２洗浄液を再利用する戻し配管と廃棄する排出用の配管として２通り以上の排出手段を備え、前記排出手段を切替える切替手段を備えたものである。
【００１９】
これにより、電気集塵機より排出される第１洗浄液、第２洗浄液、集塵した汚れを分離でき、洗浄液の再利用ができる。
【００２０】
また、他の手段は、電気集塵機は第１洗浄液を噴霧する第１工程と第２洗浄液を噴霧する第２工程と前記第２洗浄液の供給配管より前記第２洗浄液を排出する第３工程と送風による乾燥を実施する第４工程を実施することで電気集塵部の洗浄動作を実施し、前期洗浄動作を自動で実施する自動制御手段を備えるものである。
【００２１】
これにより、洗浄工程を自動化でき、定期的な洗浄を自動ですることで、メンテナンスの回数を減らすことができる。
【００２２】
また、他の手段は、電気集塵機の電気集塵部の密閉手段は電動または空気圧および油圧を用いたダンパーとしたものである。
【００２３】
これにより、第１洗浄液噴霧時に電気集塵部を密閉できる。また、定期的な洗浄を自動で実施することができる。
【００２４】
また、他の手段は、電気集塵機の第１洗浄液のミスト状に噴霧する洗浄手段として２流体ノズルと高圧発生手段を備えるものである。
【００２５】
これにより、第１洗浄液がミスト状に密閉された空間に浮遊し、空間内の電気集塵部の集塵物質を分解し、汚れとして排出しやすくするため洗浄を容易にできる。
【００２６】
また、他の手段は、電気集塵機の第１洗浄液にすくなくともアリカリ性洗浄剤および溶剤系洗浄剤および電解水を用いるものである。
【００２７】
これにより、粘着性のある物質、たとえばオイルミスト等の集塵にも効果的に洗浄が可能でメンテナンスの回数を減らすことができる。
【００２８】
また、他の手段は、電気集塵機の第２洗浄液に水または温水を用いるとしている。
【００２９】
これにより、第１洗浄液を洗い流すことができる。また水圧をかけることで衝突による洗浄も期待できる。温水をつかうことでより効果的に汚れを洗い流すことができる。
【００３０】
また、他の手段は、電気集塵機の第２洗浄液の供給手段に上水道もしくは供給水のタンクを備え、タンクよりポンプを用いて供給するとしている。
【００３１】
これにより、第２洗浄液による洗浄は第１洗浄液と集塵物質の洗い流しであるため大量の洗浄水にて効果的に洗い流すことができる。
【００３２】
また、他の手段は、電気集塵機の洗浄ノズルへの第２洗浄液の供給経路となる配管の切替手段として電動バルブもしくは電磁弁を用いるとしている。
【００３３】
これにより、洗浄ノズルへの洗浄液の供給および空気の供給の開閉手段を電動で実施することができ、自動制御により洗浄作業を自動制御することができる。
【００３４】
また、他の手段は電気集塵機の平行電極板に噴霧するノズルは円錐型の噴霧領域をもつノズルもしくは扇形の噴霧領域をもつノズルを備えるとしている。
【００３５】
これにより、電極板の全面に対し洗浄液を噴霧することができる。
【００３６】
また、他の手段は、電気集塵機の下流に汚れの濃度を検出する濃度検出手段を備えるとしている。
【００３７】
これにより、電気集塵機の性能が低下した場合を検出することができ、自動制御手段に情報を伝えることで洗浄作業を実施することができる。これにより定期的な洗浄だけでなく、洗浄回数を減少することもできる。また、高負荷の運転状況時に洗浄を早めに実施することもできる。
【００３８】
また、他の手段は、電気集塵機の上流もしくは下流もしくは本体に温度検出手段を備えるとしている。
【００３９】
これにより、異常温度上昇等の異常を検知することができる。また、異常温度上昇時には本発明の電気集塵機の閉塞手段にて密閉し、洗浄手段により水を噴霧することで上昇した温度を下げることができる。
【発明の効果】
【００４０】
本発明によれば、電気集塵機の平行電極板の洗浄を確実に実施することができ、かつ洗浄に必要な洗浄剤を一度に大量に使用することなく洗浄することができ、液供給装置や空気の供給装置を安価に抑えることができる。また、自動運転による定期的もしくはセンサーなどによる洗浄時期判断により効率的に洗浄することができる。また定期的に洗浄を実施することで、メンテナンスフリーとなり、メンテナンス費用の削減という効果を得ることができる。
【発明を実施するための最良の形態】
【００４１】
本発明の請求項１記載の発明は、平行電極板に荷電して空気中の粉塵を帯電させて集塵する電気集塵機の洗浄手段として電気集塵部を密閉する密閉手段と第１洗浄液をミスト状に噴霧し集塵した汚れを分解する第１噴霧手段を備え、第２洗浄液を電気集塵機の前記平行電極板に平行に噴霧し、前記平行電極板の全てに第２洗浄液を噴霧できる第２噴霧手段を備え、第２噴霧手段において前記第２洗浄液を供給するノズル配管を複数備え、前記各ノズル配管には複数のノズルを備え、隣り合った前記ノズル同士が同時に噴霧することのないように制御できる切替手段を備えた電気集塵機で、平行電極板を洗浄する際に第１洗浄液をくまなく電極板全体に噴霧し、第２洗浄液にて洗い流す作用を有し、その洗い流しにおいて洗浄噴霧の死角をなくし、洗浄水の噴霧をノズル配管ごとに行うことで噴霧量を抑え供給装置の容量を小さくするという作用を有する。
【００４２】
本発明の請求項２記載の発明は、第２洗浄液の供給経路であるノズル配管は第２洗浄液の供給手段と乾燥及び液抜きのための空気の供給手段を備え、同時に洗浄液と空気が供給されることのないように制御できる切替手段を備えたもので、第２洗浄液での洗い流し終了後、平行電極板と碍子を乾燥させる必要があり、空気の吹付けにより乾燥を促進する。このとき同じノズルを使用し配管の水抜きおよび乾燥を実施することができ、装置を簡素化しコストダウンする作用を有する。
【００４３】
本発明の請求項３記載の発明は、電気集塵機の絶縁碍子に噴霧し洗浄できる洗浄手段を備えるもので、絶縁碍子の洗浄と乾燥を実施することができるという作用を有する。
【００４４】
本発明の請求項４記載の発明は、第２洗浄液の供給経路であるノズル配管は第２洗浄液の供給終了後、前記ノズル配管より前記第２洗浄液を排出する排出配管と前記排出配管を開閉する切替手段を備えたものであり、排出液の再利用および分離排出を実施することができるという作用を有する。
【００４５】
本発明の請求項５記載の発明は、底板をドレン板とし、前記ドレン板に第２洗浄液を再利用する戻し配管と廃棄する排出用の配管として２通りの排出手段を備え、前記排出手段を切替える切替手段を備えたものであり、排出時、再利用時と排出の洗浄液の経路を変更することができるという作用を有する。
【００４６】
本発明の請求項６記載の発明は、第１洗浄液を噴霧する第１工程と第２洗浄液を噴霧する第２工程と前記第２洗浄液のノズル配管より前記第２洗浄液を排出する第３工程と送風による乾燥を実施する第４工程を実施することで電気集塵部の洗浄動作を実施し、前記洗浄動作を自動で実施する制御手段を備えるものであり、電気集塵機は第１〜４工程の作業を制御手段により自動で実施し、別途用いるセンサーにより電気集塵機の洗浄を必要とする時期を判断し、それぞれの工程を制御手段の指示で適正な処理を実施することができるという作用を有する。
【００４７】
本発明の請求項７記載の発明は、電気集塵部の密閉手段は電動または空気圧および油圧を用いたダンパーとするとしたものであり、電気集塵部の洗浄時の密閉および異常温度上昇時等の密閉を自動で行うことができるという作用を有する。
【００４８】
本発明の請求項８記載の発明は、第１洗浄液のミスト状に噴霧する洗浄手段として２流体ノズルと高圧発生手段を備えるもので、密閉された電気集塵部に第１洗浄液をミスト状にして充満することで電気集塵部の全平行電極板に付着した集塵物質を洗浄液にて分解し電極板から分離することができるという作用を有する。
【００４９】
本発明の請求項９記載の発明は、第１洗浄液にすくなくとも界面活性剤剤および溶剤系洗浄剤およびアルカリ性電解水を用いるとしたものであり、少なくともオイルミストのような粘着性をもった物質においてもミスト噴霧により洗浄剤で集塵物質を分解し電極板から分離することができるという作用を有する。
【００５０】
本発明の請求項１０記載の発明は、第２洗浄液に水または温水を用いるとしたものであり、第１洗浄水の噴霧後分解された集塵物質を洗い流すことができ、温水を使用することでさらに効果的に集塵物質と第１洗浄液を除去することができるという作用を有する。
【００５１】
本発明の請求項１１記載の発明は、第２洗浄液の供給手段に上水道もしくは供給用のタンクを備え、タンクよりポンプを用いて供給するとしたものであり、第２洗浄液としての大量の液量を確保するとともに異常温度上昇時の温度を低下することができるという作用を有する。
【００５２】
本発明の請求項１２記載の発明は、ノズルへの第２洗浄液の供給経路となる配管の切替手段として電動ボールバルブもしくは電磁弁を用いるものであり、各々の配管ごとに切替手段を取り付けることで、第２洗浄水の噴霧と第２洗浄液の配管よりの排出が自動で実施できるという作用を有する。
【００５３】
本発明の請求項１３記載の発明は、平行電極板に噴霧するノズルは円錐型の噴霧領域をもつノズルもしくは扇形で直線的な噴霧領域を持つノズルを備えるものであり、円錐形の噴霧領域を持つノズルは噴霧領域を大きくとれるので全面にわたって噴霧できる。扇形の噴霧領域は扇形に直線的に噴霧されるので噴霧圧による洗浄も期待できるという作用を有する。
【００５４】
本発明の請求項１４記載の発明は、電気集塵機の下流に汚れの濃度を検出する濃度検出手段を備え、濃度上昇時に洗浄を開始する自動制御を備えるとしており、前記濃度センサーにより検知された濃度が上昇時は電気集塵部の除去効率の低下と判断し、洗浄作業を開始するように自動で洗浄動作を実施することができるという作用を有する。
【００５５】
本発明の請求項１５記載の発明は、電気集塵機の上流または下流もしくは本体に温度検出手段を備え、温度の検出により異常な温度上昇を検知し、密閉手段による遮断と温度低下のための第２洗浄液の噴霧を自動実施するもので、前記温度センサーが異常な温度上昇の検出時、温度の他部位への伝達を防止する目的で密閉手段を閉じ、洗浄装置より第２洗浄液を噴霧して、異常な上昇をした温度を低下することができるという作用を有する。
【００５６】
以下、本発明の実施の形態について図１〜図５を参照しながら説明する。
【００５７】
（実施の形態１）
図１は本発明の実施の形態１に示す電気集塵機１の外観図である。図２は本発明の実施の形態１の電気集塵機１の側断面の概略図である。図３は本発明の実施の形態１の配管部のみの外観図である。図４は本発明の実施の形態１の電気集塵機１の洗浄システム図である。
【００５８】
図１に示すように、電気集塵機１は送風手段である送風機などにより、汚れを含んだ空気を図２の矢印の方向に送風し、電圧を印加した複数の平行電極板２により構成される電気集塵部３おいて空気中に含まれる汚れを集塵するものである。図２に示すように２流体ノズル４と汚れを含んだ空気の入口部５と出口部６に密閉手段である例えば電動ダンパー７，８を備える構成とする。空気中の汚れの平行電極板２への付着により集塵効率が悪くなった場合に平行電極板２の洗浄を実施する。洗浄の実施時は、第１洗浄手段として電動ダンパー７，８を閉じることで電気集塵部３を密閉し、２流体ノズル４より第１洗浄液９を噴霧し、ミスト状にした第１洗浄液９で平行電極板２に付着した集塵物質を平行電極板２より分離するものである。図５において、第１洗浄液９は第１洗浄液タンク１９に貯えられ、空気供給手段である例えばコンプレッサー２３により２流体ノズル４を介しミスト状に噴霧される。２流体ノズル４への空気供給と第１洗浄液９の供給する経路には開閉手段である例えば電磁弁５１，５２により供給を自動で開閉することができる。
【００５９】
その後、第１洗浄液９の噴霧を停止し、第２洗浄手段として、図１において電気集塵部３の上部に設置されたノズル配管１０、１１、１２、１３により噴霧される第２洗浄液１４で集塵物質と第１洗浄液９を洗い流すものである。図５において第２洗浄液タンク１５に貯えられた第２洗浄液１４を供給手段であるポンプ１６にて第２洗浄液１４を噴霧する。図１において第２洗浄液１４を噴霧するノズル配管１０，１１，１２，１３はそれぞれ第２洗浄液１４の流路を構成し、流路の先端にノズル１７を複数個備えた構成とする。
【００６０】
ノズル１７は電気集塵部３の平行電極板２の全面を噴霧できる高さに設置し、図３に示すようにノズル配管１０とノズル配管１１またはノズル配管１２とノズル配管１３の各々のノズル１７同士を交互に配置する。このとき図４に示すようにノズル１７ａより平行電極板２へ噴霧した場合噴霧領域に死角１８ができる。この死角１８を電極板の反対側のノズル１７ｂ噴霧することで補完するように隣のノズル１７ｂを設置する。ノズル１７同士の間隔は全平行電極板２に噴霧できるようにノズル１７の噴霧領域を重ねて設置し、時間を変えてノズル１７ａとノズル１７ｂを噴霧することでお互い干渉することなく、平行電極板２全てに噴霧が可能となる。
【００６１】
このときのノズル１７は円錐形の噴霧領域を持つノズルもしくは扇形で直線的な噴霧領域を持つノズルを使用することで、平行電極板２の全面に噴霧が可能で、洗い流しに十分に必要な水量を確保することができる。扇形で直線的な噴霧領域とはノズルより前後方向に直線的に噴霧することをいい、噴霧領域は側面より見た場合扇形になることを示す。
【００６２】
しかしながら、全部のノズル配管１０，１１，１２，１３を同時に噴霧すると大量の第２洗浄液１４が必要となる。またとなりあったノズル１７同士を同時に噴霧するので噴霧領域が干渉し、平行電極板２への噴霧の水流にロスを生じることになる。
【００６３】
このため、図５に示すようにノズル配管１０，１１，１２，１３の切替手段である例えば電動ボールバルブ２０ａ、２０ｂ、２０ｃ、２０ｄにて噴霧するノズル配管１０，１１，１２，１３を切替えて噴霧を実施する。このことにより、噴霧領域の重なったノズル１７同士を同時に噴霧することなく、洗浄の噴霧の水流にロスを生じることなく、水の流量も抑えることができる。水の流量を抑えることでポンプ１６の能力を小さな物とすることになりコストを抑えることができる。なお、第２洗浄液１４は水などを用いればよいが、温水を用いることでより効果的な洗い流しを実施することができる。なお、切替手段は例えば電磁弁でもよい。
【００６４】
また、図１において絶縁碍子２１も第２洗浄液１４にて絶縁碍子洗浄配管２２を介して噴霧することで洗い流す必要がある。ノズル配管同様に切替手段である例えば電動ボールバルブ２０ｅにて切替を実施し絶縁碍子の洗い流しを実施する。
【００６５】
図１において、第２洗浄液１４による洗い流しの後、平行電極板２と絶縁碍子２１が洗浄液等で水分が付着した状態では平行電極板２の間に高電圧を印加するとリーク電流が流れ、高電圧を印加できない。平行電極板２と絶縁碍子２１を乾燥させる必要があり乾燥を効率よく行うために、平行電極板２と絶縁碍子２１に空気の吹付けを実施し、水滴や絶縁物表面の水分を除去する。また、空気の吹付けを実施する前に、ノズル配管１０，１１，１２，１３内に残留している第２洗浄液１４を排出する。
【００６６】
図５に示すように、空気の供給手段であるコンプレッサ−２３と第２洗浄液１４である水の供給手段であるポンプ１６を電動３方弁２４にとりつけることで、第２洗浄液１４を噴霧するノズル配管１０、１１またはノズル配管１２，１３を平行電極板２と絶縁碍子２１への空気吹付けを第２洗浄液１４の噴霧と同じ配管を用いて実施することができるようになり、装置のコストダウンとなる。
【００６７】
図５に示すように第２洗浄液１４の通路の途中に分岐配管と開閉手段である電動ボールバルブ２５を設けることで、ノズル配管１０，１１，１２，１３及び絶縁碍子洗浄配管２２内に残留している第２洗浄液１４を排出することができる。空気供給による第２洗浄液１４の排出の前に残留している第２洗浄液１４を排出することで、より効果的に平行電極板２と絶縁碍子２１の乾燥を実施することができる。
【００６８】
第１洗浄液９、第２洗浄液１４及び集塵物質で液状のものは、図５に示すようにドレン板２９に備えた排出配管より排出することができる。排出された第１洗浄液９、第２洗浄液１４および集塵物質で液状のものは、配管に分岐を設け、第２洗浄液１４を再利用するための戻し配管３１と集塵物質を含み再利用できないため廃棄する排出配管３２を備える。また、配管を分岐しタンク等に排出することで、第１洗浄液、集塵物質（液状のもの）、廃棄水と分離が可能となる。それぞれに開閉装置である例えば電動ボールバルブ２６、２７、２８を設けることで、自動で分離回収することができる。
【００６９】
以上の洗浄手段を工程ごとに整理すると、第１洗浄液９を噴霧し集塵物質を平行電極板２より分離する第１工程、分離した集塵物質と第１洗浄液９を第２洗浄液にて洗い流す第２工程、配管内に残留する第２洗浄液１４を排出する第３工程、空気吹付けと送風により平行電極板２と碍子を乾燥する第４工程に分けることができる。図５に示すようにこれらの工程を、それぞれデバイスを動かすことで実施できる制御装置３０を備え、制御装置に例えばタイマーを備え、定期的に自動で洗浄でき、これまでのメンテナンスに必要であった洗浄作業が必要なくなりメンテナンスの回数を減らすことができ、コストダウンすることのできる電気集塵機を提供することができるようになる。
【００７０】
（実施の形態２）
図６は本発明の実施の形態２の電気集塵機の側断面の概略図である。実施の形態１と同一部分は同一符号を附し詳細な説明は省略する。
【００７１】
図６において、電気集塵機の下流の出口部６に濃度検出手段４０を設置する。濃度検出手段４０としては例えば粉塵濃度計などを用いることができる。電気集塵機１を長時間に渡り使用する場合、出口部６の集塵物質の濃度は徐々に高くなってくる。これは電気集塵部３の集塵物質が許容以上に付着し、集塵効率を悪化させるからであり、出口部６の濃度を検出し監視することで、集塵物質を除去する洗浄を実施する必要のある時期がわかることになる。出口部６に備えた濃度検出手段４０の信号を制御装置３０に入力し判断を実施することで、洗浄の必要時期を判別し、自動的に洗浄を実施することができる。集塵物質の濃度の低い環境では定期的な洗浄よりも洗浄間隔が長くなることもあり、効率的に洗浄できるという電気集塵機１を提供できる。
【００７２】
（実施の形態３）
図７は本発明の実施の形態３の電気集塵機１の側断面の概略図である。実施の形態１、２と同一部分は同一符号を附し詳細な説明は省略する。
【００７３】
図７において、電気集塵機１の内部に温度検出手段４１をもしくは電気集塵機１の下流の出口部６に温度検出手段４２を設置する。温度検出手段４１、４２には、例えば熱電対やサーミスタといったものが使用できる。
【００７４】
電気集塵機１の内部に異常温度上昇が発生した場合、温度検出手段４１もしくは温度検出手段４２が異常温度上昇を検知し制御装置３０に信号を送り、制御装置３０では温度信号より異常温度かどうかを判断し、異常温度上昇の伝達を防ぐ目的で電動ダンパー７，８の開閉を実施する。また、電気集塵機１内部にて異常上昇温度が発生した場合、ダンパー７，８を閉じるだけでなく。異常温度上昇に対して温度低下を図る目的で電動ダンパー７，８の閉鎖後、第２洗浄液１４を噴霧する。これにより、異常温度上昇時に温度の伝達を防ぐだけでなく、温度の低下を図ることもできる。
【産業上の利用可能性】
【００７５】
平行電極板に高電圧を印加して集塵する電気集塵機に電極板を自動で洗浄する装置を設置し、定期的な洗浄動作を実施することでメンテナンスを省力化しコストダウンができるとするものである。粘着性のある集塵物質にも対応できるため塵や埃だけでなくオイルミストや焼却施設の煤塵処理、食堂等の飲食店の厨房などの油汚れの洗浄用途などにも対応できる。
【図面の簡単な説明】
【００７６】
【図１】本発明の実施の形態１の電気集塵機１の外観図
【図２】本発明の実施の形態１の電気集塵機１の側断面の概略図
【図３】本発明の実施の形態１の配管部のみの外観図
【図４】本発明の実施の形態１の洗浄ノズル噴霧様子図
【図５】本発明の実施の形態１の洗浄システム図
【図６】本発明の実施の形態２の電気集塵機１の側断面の概略図
【図７】本発明の実施の形態３の電気集塵機１の側断面の概略図
【図８】従来の電気集塵機の平行電極板の洗浄システムの側面図
【図９】従来の電気集塵機の平行電極板の洗浄システムの正面図
【図１０】従来の電気集塵機の平行電極板のワイパーによる洗浄システムの構成図
【符号の説明】
【００７７】
１    電気集塵機
２    平行電極板
３    電気集塵部
４    ２流体ノズル
７    電動ダンパー
８    電動ダンパー
９    第１洗浄液
１０  ノズル配管
１１  ノズル配管
１２  ノズル配管
１３  ノズル配管
１４  第２洗浄液
１５  第２洗浄液タンク
１６  ポンプ
１７  ノズル
２０ａ〜２０ｆ  電動ボールバルブ
２１  絶縁碍子
２２  絶縁碍子洗浄配管
２３  コンプレッサー
２４  電動３方弁
２５  電動ボールバルブ
２６  電動ボールバルブ
２７  電動ボールバルブ
２８  電動ボールバルブ
２９  ドレン板
３０  制御装置
４０  濃度検出手段
４１  温度検出手段
４２  温度検出手段
【図１】
2008221175.tif 000003
【図２】
2008221175.tif 000004
【図３】
2008221175.tif 000005
【図４】
2008221175.tif 000006
【図５】
2008221175.tif 000007
【図６】
2008221175.tif 000008
【図７】
2008221175.tif 000009
【図８】
2008221175.tif 000010
【図９】
2008221175.tif 000011
【図１０】
2008221175.tif 000012